(57)【要約】【課題】被検体あるいは装着器具とガントリとの接触を防止する医用画像診断装置を提供することを目的とする。【解決手段】ＰＥＴ装置１は、ガントリ４１の他に、被検体Ｍを収容する開口部４３ａを有することで被検体Ｍを収容するガイド機構４３を別に備える。ガイド機構４３はガントリ４１の開口部４１ａに収容される。被検体Ｍをガントリ４１に収容する前にガイド機構４３に被検体Ｍを収容することで被検体Ｍの位置決めを行い、被検体Ｍの位置決めを行った状態で、ガイド４３機構をガントリ４１に対して移動させて、被検体Ｍとともにガイド機構４３をガントリ４１に収容するので、被検体Ｍあるいは装着器具とガントリ４１との接触を防止することができる。【選択図】図１
2011234856.tif 000002
【特許請求の範囲】
【請求項１】
医用画像を取得して診断を行う医用画像診断装置であって、
前記医用画像を取得するための被検体を収容する開口部を有したガントリと、
前記ガントリの開口部に収容される収容機構と
を備え、
前記収容機構に前記被検体を収容する開口部を有し、
前記収容機構が前記ガントリに対して相対的に移動するように構成することを特徴とする医用画像診断装置。
【請求項２】
請求項１に記載の医用画像診断装置において、
前記収容機構に、撮像領域を表示する表示機構を備えることを特徴とする医用画像診断装置。
【請求項３】
請求項１または請求項２に記載の医用画像診断装置において、
前記収容機構に映像機構を備えることを特徴とする医用画像診断装置。
【請求項４】
請求項１から請求項３のいずれかに記載の医用画像診断装置において、
前記収容機構の少なくとも一部が、光透過性を有する物質であることを特徴とする医用画像診断装置。
【請求項５】
請求項４に記載の医用画像診断装置において、
前記収容機構に、撮像領域を表示する表示機構を備え、
その表示機構は導光手段であって、
その導光手段を前記収容機構の前記光透過性を有する物質に配設することを特徴とする医用画像診断装置。
【請求項６】
請求項５に記載の医用画像診断装置において、
複数の前記導光手段をいずれかに選択する選択手段を備え、
その選択手段によって前記撮像領域の大きさを可変にすることを特徴とする医用画像診断装置。
【請求項７】
請求項１から請求項６のいずれかに記載の医用画像診断装置において、
前記被検体を載置する載置機構と、
その載置機構と前記収容機構とを同期移動させて制御する制御手段と
を備えることを医用画像診断装置。
【発明の詳細な説明】
【技術分野】
【０００１】
この発明は、医用画像を取得して診断を行う医用画像診断装置に関する。
【背景技術】
【０００２】
従来、この種の装置として、ＰＥＴ(Positron Emission Tomography)装置を例に採って説明する。ＰＥＴ装置は、医用画像としてＰＥＴ画像を取得するために開口部を有したガントリを備え、その開口部に被検体を収容して撮像を行うことで核医学診断が行われる（例えば、特許文献１参照）。被検体の撮像を実際に行う場合には、図９に示すように被検体Ｍを載置する天板１０２をガントリ１３１に送り込むことで被検体Ｍをガントリ１３１の開口部１３１ａに収容する。なお、図９中の符号１０１はＰＥＴ装置で、符号１０３はＰＥＴ検出部で、符号１３２はγ線検出器である。
【先行技術文献】
【特許文献】
【０００３】
【特許文献１】特開２００９−２２２４３９号公報
【発明の概要】
【発明が解決しようとする課題】
【０００４】
従来のＰＥＴ装置では、被検体の体格の違いや被検体が不意に動いてしまったりすることで、被検体がガントリに接触してしまったり、被検体の移動に伴い点滴やガス吸入器等の被検体に装着する装着器具がガントリに接触してしまう可能性がある。また、オペレータ（操作者）は、被検体のセッティングおよび撮像中での被検体の移動に注意を十分に払う必要がある。
【０００５】
この発明は、このような事情に鑑みてなされたものであって、被検体あるいは装着器具とガントリとの接触を防止する医用画像診断装置を提供することを目的とする。
【課題を解決するための手段】
【０００６】
この発明は、このような目的を達成するために、次のような構成をとる。
すなわち、この発明に係る医用画像診断装置は、医用画像を取得して診断を行う医用画像診断装置であって、前記医用画像を取得するための被検体を収容する開口部を有したガントリと、前記ガントリの開口部に収容される収容機構とを備え、前記収容機構に前記被検体を収容する開口部を有し、前記収容機構が前記ガントリに対して相対的に移動するように構成することを特徴とするものである。
【０００７】
［作用・効果］この発明に係る医用画像診断装置によれば、被検体を収容する開口部を有することで被検体を収容するガントリの他に、被検体を収容する開口部を有することで被検体を収容する収容機構を別に備える。この収容機構はガントリの開口部に収容される。被検体をガントリに収容する前に収容機構に被検体を収容することで被検体の位置決めを行う。被検体の位置決めを行った状態で、収容機構をガントリに対して相対的に移動させて、被検体とともに収容機構をガントリに収容するので、被検体あるいは装着器具とガントリとの接触を防止することができる。収容機構がガントリに対して相対的に移動するとは、ガントリを固定して収容機構のみを移動させる場合のみならず、収容機構を固定してガントリのみを移動させる場合や、収容機構およびガントリの双方を移動させる場合も含む。
【０００８】
上述した医用画像診断装置において、収容機構に、撮像領域を表示する表示機構を備えるのが好ましい。特に、操作者は、被検体をガントリに収容する前に収容機構を介して表示機構に表示された撮像領域を観察することで、撮像領域を把握することができる。その結果、被検体のセッティングが容易になり、検査時間の短縮を図ることが可能になる。
【０００９】
上述したこれらの医用画像診断装置において、収容機構に映像機構を備えるのが好ましい。被検体と収容機構との位置関係が変わらないので、被検体の移動時でも被検体は目線を移動させる必要はない。特に、被検体は、収容機構を介して映像機構での映像を見ることで、例えば閉所恐怖症等の被検体への精神的な負担が映像により軽減し、例えば映像により撮像状況を被検体が把握することができ、あるいは例えば視覚用または刺激用の映像により被検体の視覚または刺激に関する検査が可能になる。
【００１０】
上述したこれらの医用画像診断装置において、収容機構の少なくとも一部が、光透過性を有する物質であるのが好ましい。光透過性を有する物質で一部が形成された収容機構を介して、収容機構に収容された被検体の様子を把握することができる。
【００１１】
また、収容機構の少なくとも一部が、光透過性を有する物質の場合には、上述の撮像領域を表示する表示機構を備え、その表示機構は導光手段であって、その導光手段を収容機構の光透過性を有する物質に配設することで光により撮像領域を把握することができる。より好ましくは、複数の導光手段をいずれかに選択する選択手段を備え、その選択手段によって撮像領域の大きさを可変にする。これにより、様々な撮像領域に応じた検査が可能になり、検査の種類等に応じて撮像領域を変更することができる。
【００１２】
上述したこれらの医用画像診断装置において、被検体を載置する載置機構と、その載置機構と収容機構とを同期移動させて制御する制御手段とを備えるのが好ましい。収容機構を少なくとも移動させることで収容機構がガントリに対して相対的に移動する場合には、被検体をガントリに収容する前に被検体の位置決めを行った状態で収容機構を移動させても、収容機構の移動に同期して被検体を載置する載置機構が移動するので、移動中や移動終了後のガントリでの被検体の収容時に被検体と収容機構との位置関係がズレにくい。
【発明の効果】
【００１３】
この発明に係る医用画像診断装置によれば、被検体をガントリに収容する前に収容機構に被検体を収容することで被検体の位置決めを行い、被検体の位置決めを行った状態で、収容機構をガントリに対して相対的に移動させて、被検体とともに収容機構をガントリに収容するので、被検体あるいは装着器具とガントリとの接触を防止することができる。
【図面の簡単な説明】
【００１４】
【図１】実施例１に係るＰＥＴ装置の側面図である。
【図２】実施例１に係るＰＥＴ装置のブロック図である。
【図３】ガイド移動機構の具体的構成の概略図である。
【図４】実施例２に係る頭部用ＰＥＴ装置の側面図である。
【図５】（ａ）、（ｂ）は、実施例２に係る頭部用ガイド機構での表示機構の実施態様の一例である。
【図６】実施例２に係る頭部用ガイド機構での映像機構の実施態様の一例であり、（ａ）は映像機構の概略図、（ｂ）は映像機構の側面図である。
【図７】実施例２に係るＰＥＴ装置のブロック図である。
【図８】実施例３に係る頭部用ＰＥＴ装置の側面図である。
【図９】従来のＰＥＴ装置の側面図である。
【実施例１】
【００１５】
以下、図面を参照してこの発明の実施例１を説明する。
図１は、実施例１に係るＰＥＴ装置の側面図であり、図２は、実施例１に係るＰＥＴ装置のブロック図である。なお、後述する実施例２、３も含めて、本実施例１では、医用画像診断装置として、ＰＥＴ装置を例に採って説明するとともに、医用画像としてＰＥＴ装置で取得された投影データや断層画像を例に採って説明する。
【００１６】
図１に示すように、本実施例１に係るＰＥＴ装置１は、水平姿勢の被検体Ｍを載置する天板２を備えている。この天板２は、床面に設置されたベッド３に対して被検体Ｍの体軸に沿って進退移動可能に構成されている。また、ベッド３は床面に対して被検体Ｍの体軸に沿ってスライド移動可能に構成されている。なお、天板２を昇降移動させるようにベッド３を高さ方向に伸縮自在に構成してもよい。ＰＥＴ装置１は、天板２に載置された被検体Ｍを診断するＰＥＴ検出部４を備えている。天板２は、この発明における載置機構に相当する。
【００１７】
ＰＥＴ検出部４は、開口部４１ａを有したガントリ４１と被検体Ｍから発生したγ線を検出するγ線検出器４２とを備えている。γ線検出器４２は、被検体Ｍの体軸周りを取り囲むようにしてリング状に配置されており、ガントリ４１内に埋設されている。ガントリ４１は床面に対して被検体Ｍの体軸に沿ってスライド移動可能に構成されている。ガントリ４１は、この発明におけるガントリに相当する。
【００１８】
その他に、本実施例１では、ガントリ４１の開口部４１ａに収容されるガイド機構４３を備え、ガイド機構４３に被検体Ｍを収容する開口部４３ａを有している。ガイド機構４３の外壁部分は、ガントリ４１の開口部４１ａの形状に合わせた形状となっている。ガイド機構４３は、天板２の水平移動（体軸に沿った進退移動）に連動して移動可能に構成されている。被検体Ｍをガントリ４１に収容する前にガイド機構４３に被検体Ｍを収容することで被検体Ｍの位置決めを行う。被検体Ｍの位置決めを行った状態で、ガイド機構４３が移動することで被検体Ｍをガントリ４１に案内（ガイド）する機能を有する。ガイド機構４３は、この発明における収容機構に相当する。
【００１９】
なお、被検体Ｍの視認性を保つためにガイド機構４３の一部または全部をアクリル等の透明な部材で形成してもよい。また、ガイド機構４３には突起４３ｂが設けられており、この突起４３ｂがガントリ４１に接触することにより、ガイド機構４３がガントリ４１よりも先（ガントリ４１のベッド３側とは逆側）に移動しないようにする。したがって、突起４３ｂはストッパの機能を有する。
【００２０】
続いて、ＰＥＴ装置１のブロック図について説明する。図２に示すように、ＰＥＴ装置１は、上述した天板２やベッド３やＰＥＴ検出部４の他に、ベッド移動機構５と天板移動機構６とガントリ移動機構７とガイド移動機構８とコンソール９とを備えている。ＰＥＴ検出部４は、上述したガントリ４１やγ線検出器４２やガイド機構４３の他に、増幅器４４とＡＤ変換器４５と同時計数回路４６とを備えている。ベッド移動機構５や天板移動機構６やガントリ移動機構７やガイド移動機構８の具体的な構成については、図３で後述する。
【００２１】
コンソール９は、データ収集部９１と画像再構成部９２とメモリ部９３と入力部９４と出力部９５とコントローラ９６とを備えている。
【００２２】
増幅器４４は、γ線検出器４２で検出されて出力された電気信号を増幅させる。ＡＤ変換器４５は、増幅器４４で増幅された電気信号のアナログ値をディジタル値に変換してディジタル出力する。
【００２３】
同時計数回路４６は、γ線がγ線検出器４２で同時に検出（すなわち同時計数）されたか否かを判定する。同時計数回路４６で同時計数されたエミッションデータをデータ収集部９１に送り込む。
【００２４】
データ収集部９１は、同時計数回路４６で同時計数されて収集されたエミッションデータを収集する。データ収集部９１は、投影データ（エミッションデータ）を画像再構成部９２に送り込む。画像再構成部９２は、投影データを再構成して断層画像を生成する。
【００２５】
メモリ部９３は、コントローラ９６を介して、ＰＥＴ検出部４で得られた各々のデータや画像再構成部９２で再構成された断層画像などのデータを書き込んで記憶し、適宜必要に応じて読み出して、コントローラ９６を介して、各々のデータを出力部９５に送り込んで出力する。メモリ部９３は、ＲＯＭ（Read-only Memory）やＲＡＭ（Random-Access Memory）などに代表される記憶媒体で構成されている。
【００２６】
入力部９４は、オペレータが入力したデータや命令をコントローラ９６に送り込む。入力部９４は、マウスやキーボードやジョイスティックやトラックボールやタッチパネルなどに代表されるポインティングデバイスで構成されている。出力部９５は、モニタなどに代表される表示部やプリンタなどで構成されている。
【００２７】
コントローラ９６は、本実施例１に係るＰＥＴ装置１を構成する各部分を統括制御する。コントローラ９６は、中央演算処理装置（ＣＰＵ）などで構成されている。ＰＥＴ検出部４で得られた各々のデータや画像再構成部９２で再構成された断層画像などのデータを、コントローラ９６を介して、メモリ部９３に書き込んで記憶、あるいは出力部９５に送り込んで出力する。出力部９５が表示部の場合には出力表示し、出力部９５がプリンタの場合には出力印刷する。さらに、コントローラ９６は、ベッド移動機構５や天板移動機構６やガントリ移動機構７やガイド移動機構８を制御する。コントローラ９６は、この発明における制御部に相当する。
【００２８】
次に、ベッド移動機構５や天板移動機構６やガントリ移動機構７やガイド移動機構８の具体的な構成について、図３を参照して説明する。図３は、ガイド移動機構の具体的構成の概略図である。なお、ベッド移動機構５や天板移動機構６やガントリ移動機構７の具体的な構成については、図３のガイド移動機構８と同様の構成であるから、ガイド移動機構８との相違点のみを述べて、図示を省略するとともに、その説明を省略する。
【００２９】
ガイド移動機構８は、支柱８１とネジ棒８２とモータ８３とエンコーダ８４とを備えている。支柱８１はガイド機構４３を上端側に装着支持し、下端側にネジ棒８２にネジ結合している。ネジ棒８２はガントリ４１の開口部４１ａの内壁部分に沿って延在するとともに、被検体Ｍの体軸方向に沿って延在しており、モータ８３の回転によって回転する。例えば、モータ８３を正転させると、図３中の一点鎖線に示すように支柱８１とともにガイド機構４３がガントリ４１のベッド３側とは逆側に平行移動（進出）し、モータ８３を逆転させると、図３中の二点鎖線に示すように支柱８１とともにガイド機構４３がガントリ４１のベッド３側に平行移動（退出）する。エンコーダ８４はガイド機構４３の移動方向と移動量（移動距離）に対応したモータ８３の回転方向および回転量を検出する。エンコーダ８４による検出結果をコントローラ９６に送る。
【００３０】
ベッド移動機構５の支柱はベッド３を上端側に装着支持し、ベッド移動機構５のネジ棒は床面に沿って延在する他は、ガイド移動機構８と同じ構成である。天板移動機構６の支柱は天板２を上端側に装着支持し、天板移動機構６のネジ棒はベッド３に沿って延在する他は、ガイド移動機構８と同じ構成である。ガントリ移動機構７の支柱はガントリ４１を上端側に装着支持し、ガントリ移動機構７のネジ棒は床面に沿って延在する他は、ガイド移動機構８と同じ構成である。
【００３１】
このようにガイド移動機構８を構成することで、ガイド機構４３を被検体Ｍの体軸に沿って進退移動させる。また、ベッド移動機構５や天板移動機構６やガントリ移動機構７をこのように構成することで、天板２やベッド３やガントリ４１を被検体Ｍの体軸に沿って平行移動させる。
【００３２】
なお、ガイド機構４３を天板２に連動して移動させるべくガイド機構４３と天板２とを同期移動させてコントローラ９６が制御するために、ガイド移動機構８のモータ８３の回転方向、および天板移動機構６の回転方向が同じになるように、コントローラ９６は各モータを同時に制御する。また、ガイド機構４３の移動速度および天板２の移動速度が互いに同速度で移動すべくガイド機構４３の移動量と天板２の移動量とが同じになるように、コントローラ９６は各モータの回転量を制御する。
【００３３】
被検体Ｍをガントリ４１内に収容する設定を行う時には、先ずガイド機構４３をガントリ４１から引き出して、ガイド機構４３に被検体Ｍの撮像部位が収容されるように被検体Ｍの位置決めを行う。位置決め終了後に被検体Ｍをガントリ４１内に送り込む際に、被検体Ｍとともに天板２の移動に連動して、コントローラ９６の制御によりガイド移動機構８がガイド機構４３を自動的に移動させることにより、被検体Ｍとガイド機構４３との位置関係を変えないようにする。
【００３４】
上述の構成を備えた本実施例１に係るＰＥＴ装置１によれば、被検体Ｍを収容する開口部４１ａを有することで被検体Ｍを収容するガントリ４１の他に、被検体Ｍを収容する開口部４３ａを有することで被検体Ｍを収容する収容機構（本実施例１ではガイド機構４３）を別に備える。この収容機構（ガイド機構４３）はガントリ４１の開口部４１ａに収容される。被検体Ｍをガントリ４１に収容する前に収容機構（ガイド機構４３）に被検体Ｍを収容することで被検体Ｍの位置決めを行う。被検体Ｍの位置決めを行った状態で、収容機構（ガイド機構４３）をガントリ４１に対して相対的に移動（本実施例１では、ガントリ４１を固定でガイド機構４３のみを移動、あるいはガントリ４１およびガイド機構４３をともに移動）させて、被検体Ｍとともに収容機構（ガイド機構４３）をガントリ４１に収容するので、被検体Ｍあるいは装着器具とガントリ４１との接触を防止することができる。収容機構（ガイド機構４３）がガントリ４１に対して相対的に移動するとは、本実施例１のようにガントリ４１を固定して収容機構（ガイド機構４３）のみを移動させる場合のみならず、後述する実施例３のように収容機構を固定してガントリ４１のみを移動させる場合や、本実施例１のように収容機構（ガイド機構４３）およびガントリ４１の双方を移動させる場合も含む。
【００３５】
本実施例１では、好ましくは、収容機構（本実施例１ではガイド機構４３）の少なくとも一部（本実施例１ではガイド機構４３の一部または全部）が、光透過性を有する物質（本実施例１ではアクリル等の透明な部材）である。光透過性を有する物質（透明な部材）で一部が形成された収容機構（ガイド機構４３）を介して、収容機構（ガイド機構４３）に収容された被検体Ｍの様子を把握することができる。
【００３６】
本実施例１では、好ましくは、制御手段（本実施例１ではコントローラ９６）は、被検体Ｍを載置する載置機構（本実施例１では天板２）と、その載置機構（天板２）と収容機構（本実施例１ではガイド機構４３）とを同期移動させて制御している。ガントリ４１の固定・移動を問わずに、収容機構（ガイド機構４３）を少なくとも移動させることで収容機構（ガイド機構４３）がガントリ４１に対して相対的に移動する場合には、被検体Ｍをガントリ４１に収容する前に被検体Ｍの位置決めを行った状態で収容機構（ガイド機構４３）を移動させても、収容機構（ガイド機構４３）の移動に同期して被検体Ｍを載置する載置機構（天板２）が移動するので、移動中や移動終了後のガントリ４１での被検体Ｍの収容時に被検体Ｍと収容機構（ガイド機構４３）との位置関係がズレにくい。
【実施例２】
【００３７】
次に、図面を参照してこの発明の実施例２を説明する。
図４は、実施例２に係る頭部用ＰＥＴ装置の側面図であり、図５は、実施例２に係る頭部用ガイド機構での表示機構の実施態様の一例であり、図６は、実施例２に係る頭部用ガイド機構での映像機構の実施態様の一例であり、図７は、実施例２に係るＰＥＴ装置のブロック図である。上述の実施例１と共通する箇所については同じ符号を付して、その箇所の説明については省略する。
【００３８】
上述の実施例１では、被検体Ｍ全身を撮像するＰＥＴ装置を例に採って説明したが、本実施例２では、被検体Ｍの頭部を撮像する頭部用ＰＥＴ装置を例に採って説明する。図４に示すように、本実施例２に係るＰＥＴ装置１は、上述の実施例１と同様に、天板２やベッド３やＰＥＴ検出部４を備えている。ただし、頭部を撮像するので、ＰＥＴ検出部４のガントリ４１については、実施例１のガントリ４１よりもサイズを小さくすることができる。また、ＰＥＴ検出部４のガイド機構４３についても、頭部のみを収容するので実施例１のガイド機構４３よりもサイズを小さくすることができる。
【００３９】
ＰＥＴ検出部４は、上述の実施例１と同様に、ガントリ４１やγ線検出器４２やガイド機構４３を備えている。
【００４０】
本実施例２では、頭部用ガイド機構４３も、頭部用ガントリ４１の開口部４１ａに収容され、ガイド機構４３に被検体Ｍの頭部を収容する開口部４３ａを有している。上述の実施例１と同様に、ガイド機構４３の外壁部分は、ガントリ４１の開口部４１ａの形状に合わせた形状となっている。上述の実施例１と同様に、ガイド機構４３は、天板２の水平移動（体軸に沿った進退移動）に連動して移動可能に構成されている。本実施例２においても、被検体Ｍの位置決めを行った状態で、ガイド機構４３が移動することで被検体Ｍをガントリ４１に案内（ガイド）する機能を有する。
【００４１】
本実施例２でも、被検体Ｍの視認性を保つためにガイド機構４３の一部または全部をアクリル等の透明な部材で形成してもよい。このように光透過性を有する物質としてアクリル等の透明な部材を採用し、この光透過性を有する物質でガイド機構４３の少なくとも一部を形成する場合には、図５に示すようにガイド機構４３に、撮像領域（ここでは被検体Ｍの頭部）を表示する表示機構４７を備える。表示機構４７は、この発明における表示機構に相当する。
【００４２】
図５（ａ）の概略図では、アクリル等の透明な部材で形成されたガイド機構４３上に撮像領域に沿って表示ライン４７ａを描くことで、表示機構４７を構成する。表示ライン４７ａとしては、例えばアクリルに有色（例えば黒色）のテープを貼り付ける、あるいはアクリルに有色（例えば）の液を塗布することで形成すればよい。また、撮像領域が固定であれば、アクリルに切削を施して表示ライン４７ａを形成してもよい。
【００４３】
また、撮像領域を変更する場合には、図５（ｂ）の概略図に示すようにアクリル等の透明な部材で形成されたガイド機構４３上に光ファイバなどに代表される導光手段を用いて撮像領域に沿って複数の表示ライン４７ｂを描くことで、表示機構４７を構成する。そして、複数の光ファイバからなる表示ライン４７ｂをいずれかに選択するスイッチ４８を備え、光源Ｌからの光を、スイッチ４８を介して表示ライン４７ｂに導く。このスイッチ４８によって撮像領域の大きさを可変にする。なお、この図５（ｂ）の表示ライン４７ｂと、上述した図５（ａ）の表示ライン４７ａとを両方組み合わせてもよい。表示ライン４７ｂは、この発明における導光手段に相当し、スイッチ４８は、この発明における選択手段に相当する。
【００４４】
また、本実施例２では、図６に示すようにガイド機構４３に映像機構４９を備える。なお、図６では図５の表示機構４７の図示を省略する。図６（ａ）の概略図および図６（ｂ）の側面図に示すように映像機構４９を、ガイド機構４３の一部をスクリーン４９ａとしたものと、投影機４９ｂとで構成する。そして、投影機４９ｂからの映像をスクリーン４９ａに映し出す。本実施例２のようにガイド機構４３の一部または全部をアクリル等の透明な部材で形成する場合には、スクリーン４９ａとしてハーフミラー等を用いてもよい。被検体Ｍが検査状況を把握することできるような映像や、緊張が緩和する（リラックスする）ような映像を、スクリーン４９ａに映し出せばよい。また、視覚検査のときには視覚用の映像をスクリーン４９ａに映し出し、脳波等の検査のように刺激に関する検査のときには刺激用の映像をスクリーン４９ａに映し出す。これらの映像については被検体Ｍに供する。映像機構４９は、この発明における映像機構に相当する。
【００４５】
その他に、本実施例２では、上述の実施例１と同様に、図４に示すようにガイド機構４３にストッパの機能を有する突起４３ｂを設ける。また、ガントリ４１とガイド機構４３とを支持する支持台４１Ａを設けてもよい。もちろん、上述の実施例１と同様にガントリ４１およびガイド機構４３を個別に床面に設けてもよい。
【００４６】
続いて、ＰＥＴ装置１のブロック図について説明する。図７に示すように、ＰＥＴ装置１は、上述した天板２やベッド３やＰＥＴ検出部４の他に、上述の実施例１と同様に、ベッド移動機構５と天板移動機構６とガントリ移動機構７とガイド移動機構８とコンソール９とを備えている。また、図５（ｂ）のように表示機構４７を構成する場合には、スイッチ４８および光源Ｌを備え、図６に示す映像機構４９を備える場合には、スクリーン４９ａおよび投影機４９ｂを備えている。
【００４７】
各移動機構５〜８やコンソール９については、上述の実施例１と同じ構成であるので、その説明を省略する。ただし、コンソール９のコントローラ９６は、スイッチ４８および投影機４９ｂを制御する。もちろん、入力部９４からスイッチ４８および投影機４９ｂを直接に手動で操作してもよい。また、入力部９４からの入力データを、コントローラ９６を介してスイッチ４８および投影機４９ｂに送り込んで、スイッチ４８および投影機４９ｂを間接的に操作してもよい。
【００４８】
上述の構成を備えた本実施例２に係るＰＥＴ装置１によれば、上述の実施例１と同様に、収容機構（本実施例２ではガイド機構４３）を別に備え、この収容機構（ガイド機構４３）はガントリ４１の開口部４１ａに収容される。被検体Ｍの位置決めを行った状態で、収容機構（ガイド機構４３）をガントリ４１に対して相対的に移動させて、被検体Ｍとともに収容機構（ガイド機構４３）をガントリ４１に収容するので、被検体Ｍあるいは装着器具とガントリ４１との接触を防止することができる。
【００４９】
本実施例２でも、好ましくは、収容機構（本実施例２ではガイド機構４３）の少なくとも一部が、光透過性を有する物質（本実施例２ではアクリル等の透明な部材）である。光透過性を有する物質（透明な部材）で一部が形成された収容機構（ガイド機構４３）を介して、収容機構（ガイド機構４３）に収容された被検体Ｍの様子を把握することができる。
【００５０】
本実施例２でも、好ましくは、制御手段（本実施例２ではコントローラ９６）は、被検体Ｍを載置する載置機構（本実施例２では天板２）と、その載置機構（天板２）と収容機構（本実施例２ではガイド機構４３）とを同期移動させて制御している。収容機構（ガイド機構４３）を少なくとも移動させることで収容機構（ガイド機構４３）がガントリ４１に対して相対的に移動する場合には、収容機構（ガイド機構４３）の移動に同期して被検体Ｍを載置する載置機構（天板２）が移動するので、移動中や移動終了後のガントリ４１での被検体Ｍの収容時に被検体Ｍと収容機構（ガイド機構４３）との位置関係がズレにくい。
【００５１】
本実施例２のように収容機構（本実施例２ではガイド機構４３）の少なくとも一部が、光透過性を有する物質（本実施例２ではアクリル等の透明な部材）の場合には、上述の撮像領域を表示する表示機構４７を備え、その表示機構４７は導光手段（本実施例２では光ファイバからなる表示ライン４７ｂ）であって、その導光手段（表示ライン４７ｂ）を収容機構（ガイド機構４３）の光透過性を有する物質（アクリル等の透明な部材）に配設することで光により撮像領域を把握することができる。より好ましくは、図５（ｂ）に示すように複数の表示ライン４７ｂをいずれかに選択する選択手段（図５（ｂ）ではスイッチ４８）を備え、その選択手段（スイッチ４８）によって撮像領域の大きさを可変にする。これにより、様々な撮像領域に応じた検査が可能になり、検査の種類等に応じて撮像領域を変更することができる。
【００５２】
また、光透過性を有する物質（本実施例２ではアクリル等の透明な部材）で収容機構（本実施例２ではガイド機構４３）を形成する如何に問わずに、上述の表示機構４７を備えることで、特に、オペレータ（操作者）は、被検体Ｍをガントリ４１に収容する前に収容機構（ガイド機構４３）を介して表示機構４７に表示された撮像領域を観察することで、撮像領域を把握することができる。その結果、被検体Ｍのセッティングが容易になり、検査時間の短縮を図ることが可能になる。
【００５３】
本実施例２では、好ましくは、収容機構（本実施例２ではガイド機構４３）に映像機構４９を備えている。被検体Ｍと収容機構（ガイド機構４３）との位置関係が変わらないので、被検体Ｍは目線を移動させる必要はない。特に、被検体Ｍは、収容機構（ガイド機構４３）を介して映像機構４９での映像を見ることで、例えば閉所恐怖症等の被検体Ｍへの精神的な負担が映像（例えばリラックスするような映像）により軽減し、例えば映像により撮像状況を被検体Ｍが把握することができ、あるいは例えば視覚用または刺激用の映像により被検体Ｍの視覚または刺激に関する検査が可能になる。
【実施例３】
【００５４】
次に、図面を参照してこの発明の実施例３を説明する。
図８は、実施例３に係る頭部用ＰＥＴ装置の側面図である。上述の実施例１、２と共通する箇所については同じ符号を付して、その箇所の説明については省略する。上述の実施例２と同様に、被検体Ｍの頭部を撮像する頭部用ＰＥＴ装置を例に採って説明する。
【００５５】
上述の実施例１、２と相違して、本実施例３では、被検体Ｍを座位姿勢にして被検体Ｍの頭部を撮像する。すなわち、上述の実施例１、２では被検体Ｍを水平姿勢（臥位姿勢）にて撮像を行うために天板２を備えたが、本実施例３では、図８に示すように座位用のベッド（椅子）３に被検体Ｍを腰掛けさせて撮像を行う。ベッド３には背もたれがついており、背もたれ自体を傾斜（リクライニング）させてもよい。
【００５６】
本実施例３に係るＰＥＴ装置１は、上述の実施例１、２の天板を備えずに座位用のベッド３を替わりに備える以外は、実施例１、２と同様にＰＥＴ検出部４を備えている。ただし、ＰＥＴ検出部４のガントリ４１は回転可能であって、斜め方向に配置された収容機構４３を撮像時に収容することが可能である。また、ＰＥＴ検出部４の収容機構４３は、被検体Ｍの座位に合わせて斜め方向に配置される。
【００５７】
上述の実施例１、２と相違して、本実施例３では、被検体Ｍの位置決めを行った状態では、微調整を除いて収容機構４３を固定して、ガントリ４１のみを移動させて、被検体Ｍとともに収容機構４３をガントリ４１に収容する。したがって、本実施例３では収容機構４３は、上述の実施例１、２のような被検体Ｍをガントリ４１に案内（ガイド）する機能を有さない。もちろん、収容機構４３を上述の実施例１、２と同様のガイド機構４３として、図８の矢印に示す斜め方向に移動させてもよい。また、図８のようにガントリ４１および収容機構４３を機械的に接触させて、収容機構４３をガントリ４１に連動可能に構成してもよい。本実施例３の収容機構４３は、この発明における収容機構に相当する。
【００５８】
収容機構４３を除けば、ＰＥＴ検出部４は、上述の実施例１、２と同様に、ガントリ４１やγ線検出器４２を備えている。
【００５９】
上述の実施例２と同様に、本実施例３では、収容機構４３は被検体Ｍの頭部を収容する開口部４３ａを有している。本実施例３でも、被検体Ｍの視認性を保つために収容機構４３の一部または全部をアクリル等の透明な部材で形成してもよい。
【００６０】
上述の実施例２と同様に、収容機構４３に、撮像領域（ここでは被検体Ｍの頭部）を表示する表示機構４７（図５を参照）を備えてもよいし、収容機構４３に映像機構４９（図６を参照）を備えてもよい。表示機構４７や映像機構４９については、上述の実施例２と同じ構成であるので、その説明を省略する。
【００６１】
上述の実施例１、２と同様に、図８に示すように収容機構４３にストッパの機能を有する突起４３ｂを設ける。また、ガントリ４１と収容機構４３とを支持する支持台４１Ａを設けてもよい。
【００６２】
ＰＥＴ装置１のブロック図については、上述の実施例２と同じ構成であるので、その説明を省略する。ただし、本実施例３では天板を備えないので天板移動機構６（図７を参照）を備えていない。また、ベッド３が固定式の場合にはベッド移動機構５（図７を参照）を必ず備える必要はない。また、ガントリ移動機構７（図７を参照）は、ガントリ４１を回転させる。また、本実施例３の収容機構４３を上述の実施例１、２と同様のガイド機構４３として、図８の矢印に示す斜め方向に移動させる場合には、ガイド移動機構８（図７を参照）は、ガイド機構４３を斜め方向に平行移動させる。
【００６３】
上述の構成を備えた本実施例３に係るＰＥＴ装置１によれば、上述の実施例１、２と同様に、収容機構（本実施例３では収容機構４３）を別に備え、この収容機構４３はガントリ４１の開口部４１ａに収容される。被検体Ｍの位置決めを行った状態で、収容機構４３をガントリ４１に対して相対的に移動（本実施例３では収容機構４３を固定でガントリ４１のみを移動）させて、被検体Ｍとともに収容機構４３をガントリ４１に収容するので、被検体Ｍあるいは装着器具とガントリ４１との接触を防止することができる。
【００６４】
収容機構４３の少なくとも一部が、光透過性を有する物質である効果については、上述の実施例１、２と同じであるので、省略する。また、表示機構４７（図５を参照）や映像機構４９（図６を参照）を備えたときの効果についても、上述の実施例２と同じであるので省略する。
【００６５】
この発明は、上記実施形態に限られることはなく、下記のように変形実施することができる。
【００６６】
（１）上述した各実施例では、ＰＥＴ装置単体を例に採って説明したが、ＰＥＴ装置とトランスミッション装置とを組み合わせた装置や、ＰＥＴ装置とＸ線ＣＴ装置とを組み合わせた装置や、ＰＥＴ装置と核磁気共鳴装置 (MRI: Magnetic Resonance Imaging)とを組み合わせた装置などに例示されるように、ＰＥＴ装置と他の装置を組み合わせた組み合わせ型ＰＥＴ装置に適用してもよい。また、ＰＥＴ装置以外の核医学診断装置として、単一のγ線を検出して被検体の断層画像を再構成するＳＰＥＣＴ（Single Photon Emission CT）装置や、ガンマカメラに適用してもよい。
【００６７】
（２）上述した各実施例では、医用画像としてＰＥＴ装置で取得された投影データや断層画像を例に採って説明し、医用画像診断装置として、ＰＥＴ装置を例に採って説明したが、ガントリを備えた医用画像診断装置であれば、上述のＭＲＩに例示されるように、特に限定されない。
【００６８】
（３）上述した各実施例では、収容機構の少なくとも一部が、アクリル等の透明な部材であったが、光透過性を有する物質であれば、半透明な部材であってもよい。
【００６９】
（４）上述した各実施例では、収容機構の少なくとも一部が、光透過性を有する物質（各実施例ではアクリル等の透明な部材）であったが、収容機構に収容された被検体の様子を把握しないのであれば、必ずしも光透過性を有する必要はない。例えば、収容機構はカーボンなどであってもよい。また、カーボンなどに代表される光透過性を有さない物質で収容機構を構成し、その収容機構に実施例２、３の表示機構や映像機構を備えてもよい。
【００７０】
（５）上述した実施例１の被検体の全身を撮像する装置では、実施例２、３の被検体の頭部を撮像する装置のように、表示機構や映像機構を備えなかったが、図５の表示機構や図６の映像機構を実施例１においても備えてもよい。
【００７１】
（６）上述した実施例１、２では、被検体を載置する載置機構（実施例１、２では天板２）と収容機構とを同期移動させたが、必ずしも同期移動させる必要はない。また、載置機構と収容機構とを機械的に接触させて、収容機構を載置機構に連動可能に構成してもよい。
【００７２】
（７）上述した実施例２、３では、表示機構および映像機構をともに備えたが、必ずしも備える必要はない。表示機構または映像機構のいずれか一つを備えてもよいし、いずれも備えなくてもよい。
【００７３】
（８）上述した実施例１では、図１に示すようにガイド機構４３はガントリ４１に組み込まれていたが、ガイド機構４３をガントリ４１から切り離して構成してもよい。
【００７４】
（９）収容機構（実施例１、２ではガイド機構４３、実施例３では収容機構４３）の形状については、ガントリの開口部に収容されるのであれば、円筒形状に例示されるように特に限定されない。
【００７５】
（１０）上述した実施例１、２では、被検体は臥位（水平姿勢）で、上述した実施例３では、被検体は座位であったが、立位姿勢の被検体を撮像する装置に適用してもよい。
【符号の説明】
【００７６】
１  …  ＰＥＴ装置
２  …  天板
４１  …  ガントリ
４３  …  ガイド機構、収容機構
４７  …  表示機構
４８  …  スイッチ
４９  …  映像機構
９６  …  コントローラ
Ｍ  …  被検体
【図１】
2011234856.tif 000003
【図２】
2011234856.tif 000004
【図３】
2011234856.tif 000005
【図４】
2011234856.tif 000006
【図５】
2011234856.tif 000007
【図６】
2011234856.tif 000008
【図７】
2011234856.tif 000009
【図８】
2011234856.tif 000010
【図９】
2011234856.tif 000011